(57)【要約】【課題】  作業者が確実且つ速やかに溶着箇所を認識することができ、作業性や品質に優れた吸音材付きの成形品及びその製造方法を提供する。【解決手段】  樹脂製の成形品本体に対して繊維層を含む吸音材が溶着固定された成形品である。吸音材は、外周に沿ってコンプレッションされた圧縮部を有し、吸音材の溶着位置近傍に溶着位置合わせ用のマーカーが圧縮部として形成されている。マーカーの形状は、溶着位置を中心とする円の円弧の少なくとも一部である。また、マーカーは、外周に沿ってコンプレッションされた圧縮部を延長する形で形成されている。成形品本体は、樹脂製の中空成形体を主体とするものである。繊維層を含む吸音材の外周に沿ってコンプレッションにより圧縮部を形成すると同時に、吸音材の溶着位置近傍にマーカーを圧縮部として形成し、成形品本体に対して吸音材を溶着固定するに際し、マーカーを利用して位置決めを行い、吸音材を成形品本体に対して溶着固定する。【選択図】  図３
2020032661.tif 000002
【特許請求の範囲】
【請求項１】
樹脂製の成形品本体に対して繊維層を含む吸音材が溶着固定された成形品であって、
前記吸音材は、外周に沿ってコンプレッションされた圧縮部を有し、
前記吸音材の溶着位置近傍に溶着位置合わせ用のマーカーが圧縮部として形成されていることを特徴とする成形品。
【請求項２】
前記マーカーの形状は、溶着位置を中心とする円の円弧の少なくとも一部であることを特徴とする請求項１記載の成形品。
【請求項３】
前記マーカーは、前記外周に沿ってコンプレッションされた圧縮部を延長する形で形成されていることを特徴とする請求項１または２記載の成形品。
【請求項４】
成形品本体は、樹脂製の中空成形体を主体とするものであることを特徴とする請求項１から３のいずれか１項記載の成形品。
【請求項５】
自動車の荷室に設置されるボードであることを特徴とする請求項１から４のいずれか１項記載の成形品。
【請求項６】
繊維層を含む吸音材の外周に沿ってコンプレッションにより圧縮部を形成すると同時に、吸音材の溶着位置近傍にマーカーを圧縮部として形成し、
成形品本体に対して吸音材を溶着固定するに際し、前記マーカーを利用して位置決めを行い、吸音材  を成形品本体に対して溶着固定することを特徴とする成形品の製造方法。
【発明の詳細な説明】
【技術分野】
【０００１】
本発明は、成形品及びその製造方法に関するものであり、特に、吸音材を成形品本体に精度良く溶着し得る成形品及びその製造方法に関する。
【背景技術】
【０００２】
カーゴフロアパネル（自動車荷室の蓋パネルまたはラゲージボード）、リアパーセルシェルフ等の自動車用内装品しては、樹脂製のボードが知られている。例えば、熱可塑性樹脂シートを成形することにより製造される中空成形体（成形品本体）の表面に繊維シートを貼着した成形品は、軽量で強度に優れるばかりでなく、外観や触感にも優れることから、前記ボードとして広く用いられている。
【０００３】
この種の成形品の製造方法としては、中空成形品の成形時に不織布等の繊維シートを一体化する方法が採用されており、例えば特許文献１には、分割金型間に発泡状態のパリソンおよび繊維シートを配置して分割金型を型締めすることにより、繊維シート（例えば不織布）が貼着された中空成形品の製造方法が開示されている。
【先行技術文献】
【特許文献】
【０００４】
【特許文献１】特開２００８−５５８０６号公報
【発明の概要】
【発明が解決しようとする課題】
【０００５】
ところで、前述の特許文献１に記載される製造方法を採用した場合、繊維シートは成形品本体の全面を覆う形で一体化されることになる。したがって、例えば成形品本体の一部領域に繊維シートを貼り付ける場合には、成形品本体を成形した後に、成形した成形品本体に対して繊維シートを超音波溶着等の手段で貼り付けることが行われている。
【０００６】
この時、繊維シート全面を成形品本体に対して溶着することは難しく、通常は複数個所において繊維シートを成形品本体に対して溶着することで、繊維シートを成形品本体に対して位置決め固定するようにしている。したがって、繊維シートの成形品本体への溶着作業においては、予め決められた箇所に超音波ホーンを押し当てる等して繊維シートを成形品本体に対して溶着する必要があるが、繊維シート（不織布等）を用いた場合には、その下の成形品本体が見えないために、溶着すべき箇所が把握し難く、作業性が悪いという問題がある。
【０００７】
特に、成形品に繊維層を含む吸音材を溶着固定する場合、吸音性能を確保するために、吸音材がある程度の厚さを有する繊維層を含むことから、溶着位置を把握し難く、溶着作業はより困難なものとなる。繊維層を含む厚さの厚い吸音材は、例えば布団等と同様、表面が平坦面ではなく不定形状であり、溶着位置がどこであるか把握するのは熟練の作業者であっても難しい。
【０００８】
また、溶着箇所においては、例えば成形品本体側に補強部を設けて強度を高くしておき、溶着ホーン等を強く押し当てることで溶着強度を確保するようにしているが、溶着位置がずれてしまうと、特に中空の成形品本体では、十分に力が加わらず、溶着不良が発生する等、製品の品質を大きく損なうおそれもある。
【０００９】
本発明は、前述の従来の実情に鑑みて提案されたものであり、作業者が確実且つ速やかに溶着箇所を認識することができ、作業性や品質に優れた成形品及びその製造方法を提供することを目的とする。
【課題を解決するための手段】
【００１０】
前述の目的を達成するために、本発明の成形品は、樹脂製の成形品本体に対して繊維層を含む吸音材が溶着固定された成形品であって、前記吸音材は、外周に沿ってコンプレッションされた圧縮部を有し、前記吸音材の溶着位置近傍に溶着位置合わせ用のマーカーが圧縮部として形成されていることを特徴とする。
【００１１】
また、本発明の成形品の製造方法は、繊維層を含む吸音材の外周に沿ってコンプレッションにより圧縮部を形成すると同時に、吸音材の溶着位置近傍にマーカーを圧縮部として形成し、成形品本体に対して吸音材を溶着固定するに際し、前記マーカーを利用して位置決めを行い、吸音材を成形品本体に対して溶着固定することを特徴とする。
【００１２】
本発明の成形品及びその製造方法においては、吸音材に溶着位置を示すマーカーが付与されているので、厚さが厚く表面が不定形状で溶着位置を把握し難い吸音材においても、溶着位置が一目瞭然であり、作業性が良好なものとなるとともに、溶着不良の発生が確実に抑えられる。
【発明の効果】
【００１３】
本発明によれば、製造に際して作業性に優れた成形品を提供することが可能であり、さらに、溶着位置の位置ずれ等による品質の低下のない信頼性の高い成形品を提供することが可能である。
【図面の簡単な説明】
【００１４】
【図１】成形品の概略平面図である。
【図２】成形品本体を成形するための成形装置の概略構成を示す図である。
【図３】吸音材に形成したマーカーの一例を示す概略平面図である。
【図４】吸音材に形成したマーカーの他の例を示す概略平面図である。
【図５】吸音材に形成したマーカーのさらに他の例を示す概略平面図である。
【発明を実施するための形態】
【００１５】
以下、本発明を適用した成形品及びその製造方法の実施形態について、図面を参照しながら詳細に説明する。
【００１６】
本実施形態の成形品１は、自動車の荷室に設置されるボードであり、図１に示すように、樹脂製の成形品本体２を主体とするものであり、その表面の一部に吸音材３を貼り付けたものである。吸音材３は、複数の溶着部Ｙにおいて成形品本体２に溶着固定されている。
【００１７】
成形品本体２は、ここではいわゆる中空二重壁構造を有する樹脂製のパネル（中空成形体）であるが、これに限定されるものではない。また、成形品本体２の中空部内には、補強材が埋め込まれていてもよいし、表面壁や裏面壁に補強リブが形成されていてもよい。中空部内に裏面壁から表面壁に達するインナーリブを形成した補強構造とすることもできる。また、成形品本体２は、二重壁構造の内部に芯材を配置した、いわゆるサンドイッチパネルであってもよい。
【００１８】
成形品本体２を構成する熱可塑性プラスチック材料は、任意であるが、例示するならば、例えばポリエチレン樹脂、ポリプロピレン樹脂、エチレン−酢酸ビニル共重合体、塩化ビニル樹脂、ＡＢＳ樹脂（アクリロニトリル−スチレン−ブタジエン樹脂）、ポリアミド樹脂、ポリスチレン樹脂、ポリエステル樹脂、さらにはポリカーボネート、変性ポリフェニレンエーテル等のエンジニアリングプラスチックス等を挙げることができる。
【００１９】
次に、このような成形品本体２の成形装置について説明する。図２に示すように、中空成形パネルである成形品本体２の成形装置１０は、押出装置１２と、押出装置１２の下方に配置された型締装置１４とを有し、押出装置１２から押出された溶融状態の樹脂シートＰを型締装置１４に送り、型締装置１４により溶融状態の樹脂シートＰを成形するようにしている。
【００２０】
押出装置１２は、従来既知のタイプであり、その詳しい説明は省略するが、ホッパー１６が付設されたシリンダー１８と、シリンダー１８内に設けられたスクリュー（図示せず）と、スクリューに連結された油圧モーター２０と、シリンダー１８と内部が連通したアキュムレータ２２と、アキュムレータ２２内に設けられたプランジャー２４とを有し、ホッパー１６から投入された樹脂ペレットが、シリンダー１８内で油圧モーター２０によるスクリューの回転により溶融、混練され、溶融状態の樹脂がアキュムレータ室２２に移送されて一定量貯留され、プランジャー２４の駆動によりＴダイ２８に向けて溶融樹脂を送り、押出スリット３４を通じて所定の長さの連続的な樹脂シートＰが押し出され、間隔を隔てて配置された一対のローラー３０によって挟圧されながら下方へ向かって送り出されて分割金型３２の間に垂下される。これにより、樹脂シートＰが上下方向（押出方向）に一様な厚みを有する状態で、分割金型３２の間に配置される。
【００２１】
型締装置１４も、押出装置１２と同様に、従来既知のタイプであり、その詳しい説明は省略するが、２つの分割形式の金型３２Ａ，Ｂと、金型３２Ａ，Ｂを溶融状態の樹脂シートＰの供給方向に対して略直交する方向に、開位置と閉位置との間で移動させる金型駆動装置とを有する。
【００２２】
２つの分割形式の金型３２Ａ，Ｂには、樹脂シートＰ１，Ｐ２の成形形状に応じて凹部１１９Ａ，１１９Ｂがキャビティとして設けられている。
【００２３】
２つの分割形式の金型３２Ａ，Ｂそれぞれにおいて、キャビティのまわりには、ピンチオフ部１１８が形成され、このピンチオフ部１１８は、キャビティのまわりに環状に形成され、対向する金型３２Ａ，Ｂに向かって突出する。これにより、２つの分割形式の金型３２Ａ，Ｂを型締する際、それぞれのピンチオフ部１１８の先端部が当接し、２枚の溶融状態の樹脂シートＰ１，Ｐ２は、その周縁にパーティングラインＰＬが形成されるように溶着される。
【００２４】
金型３２Ａの外周部には、型枠３３Ａが密封状態で摺動可能に外嵌し、図示しない型枠移動装置により、型枠３３Ａが、金型３２Ａに対して相対的に移動可能としている。型枠３３Ａは、金型３２Ａに対して金型３２Ｂに向かって突出することにより、金型３２Ａ，Ｂ間に配置された樹脂シートＰ１の側面に当接可能である。図示は省略しているが、同様に、金型３２Ｂの外周部にも、型枠を設け、当該型枠が金型３２Ａに向かって突出することにより、金型３２Ａ，Ｂ間に配置された樹脂シートＰ２の側面に当接可能としている。
【００２５】
分割金型３２Ａ，３２Ｂの内部には、真空吸引室が設けられ、真空吸引室は吸引穴を介してキャビティに連通し、真空吸引室から吸引穴を介して吸引することにより、キャビティに向かって樹脂シートＰ１，Ｐ２を吸着させて、分割金型３２Ａ，３２Ｂのキャビティ形状に賦形するようにしている。
【００２６】
成形に際しては、先ず、溶融混練した樹脂をアキュムレータ２２内に所定量貯留し、Ｔダイ２８に設けられた所定間隔の押出スリット３４から、貯留された熱可塑性樹脂を単位時間当たり所定押出量で間欠的に押し出す。次いで、押出方向に一様な厚みを形成した樹脂シートＰ１，Ｐ２を一対のローラー３０の下方に配置された分割金型３２Ａ，Ｂ間に配置する。
【００２７】
次いで、金型３２Ａ，３２Ｂに設けられた真空吸引室から吸引穴を介して吸引することにより、樹脂シートＰ１，Ｐ２を各金型３２Ａ，３２Ｂのキャビティ押し付けて、キャビティ形状に樹脂シートＰ１，Ｐ２を賦形する。そして、各樹脂シートＰ１，Ｐ２を吸引保持しつつ、それぞれの環状のピンチオフ部１１８Ａ，Ｂ同士が当接するまで両金型３２Ａ，Ｂを互いに近づく向きに移動させ、型締する。
【００２８】
成形した成形品本体２を前記金型３２Ａ，３２Ｂから取り出し、吸音材３を溶着により成形品本体２の所定の位置に貼り付け固定するが、溶着位置が作業者にわかり難い。そこで、本実施形態では、吸音材３にマーカーを付与し、おおよその溶着位置を作業者が視覚的に把握可能とする。
【００２９】
以下、吸音材３へのマーカーの付与について説明する。
【００３０】
吸音材３には、要求される機能等に応じて不織布や織布等、任意のものが用いられる。具体的に例示するならば、綿、麻、羊毛、絹等の天然繊維、ビスコースレーヨン、銅アンモニアレーヨン等の再生繊維、アセテート、レーヨン等の半合成繊維、ナイロン、ポリエステル、アクリル、ビニロン、ポリプロピレン、ポリウレタン等の合成繊維、及びこれらのブレンド繊維を加工して得られる編物、織物、不織布等の繊維シート等である。
【００３１】
特に、吸音性能に優れた吸音材３としては、ある程度の厚さを有する繊維層を有し、これをガーゼ状の織布で覆ったものが好適である。係る吸音材３としては、市販のものを使用することができ、例えば３Ｍ社製の商品名シンサレート等が好適である。３Ｍ社製の商品名シンサレートは、吸音断熱素材として知られるものであり、メルトブローン法によって作られるマイクロファイバーや繊維径２０〜３０μｍの短繊維を含む不織布を含むものである。
【００３２】
前述のような繊維層を含む吸音材３を用いる場合、周辺部分における繊維のほつれ等を防止する目的で、吸音材３の外周部分をコンプレッション（圧縮）する。すなわち、吸音材３の外周に沿ってコンプレッションによる圧縮部Ｃを形成する。これにより、吸音材３の外周部分における繊維のほつれ等を解消することができる。
【００３３】
本実施形態においては、このコンプレッションを利用してマーカーを形成する。すなわち、図３に示すように、吸音材３の外周部分をコンプレッションする際に、外周の圧縮部Ｃを延長する形でマーカーＭ１を同時に圧縮部として形成する。
【００３４】
吸音材３をコンプレッションして押し潰した圧縮部Ｃは、見た目において他の部分と区別することができ、圧縮部Ｃと同様にコンプレッションにより圧縮形成されるマーカーＭ１も、他の部分とは区別することができ、いわゆるマーカーとして視認することができる。
【００３５】
マーカーＭ１の形状は、各溶着部Ｙを中心とする円の円弧の一部であり、図３の例では、円弧状のマーカーＭ１が吸音材３の外周の圧縮部Ｃと連なって、当該圧縮部Ｃを延長する形で圧縮形成されている。したがって、作業者は、円弧状のマーカーＭ１を見ることで、その中心付近が溶着ポイントであることがわかり、この部分に例えば超音波ホーンを押し当てることにより、速やかに溶着作業を行うことができる。また、溶着において、超音波ホーンの押し当て位置に位置ずれが生ずることもなく、確実に溶着を行うことができる。
【００３６】
吸音材３に形成するマーカーの形状としては、図３の例に限られず、例えば図４に示すように、吸音材３の外周に形成される圧縮部Ｃと離間した円弧状のマーカーＭ２とすることも可能である。さらには、図５に示すように、圧縮部Ｃを延長する形で形成されるマーカーＭ１と、圧縮部Ｃから離間して形成される円弧状のマーカーＭ２の組み合わせであってもよい。
【００３７】
ただし、吸音材３の圧縮部Ｃより内側領域にマーカーＭ２を形成する場合、圧縮部Ｃと同時にマーカーＭ２を形成するためのプレス機の構成が複雑なものとなるとともに、吸音材３の圧縮部Ｃより内側領域において、吸音のために厚さを厚くしている繊維層を押し潰してしまうことになり、吸音性能が低下することが懸念される。マーカーＭ２を圧縮部として形成すると、その周辺部分の厚さも減少することになり、吸音性能上、好ましいものではない。
【００３８】
したがって、図３〜図５に示す例の中では、図３に示す例が好ましい。図３に示す例では、マーカーＭ１の形成は、吸音材３の外周の圧縮部Ｃを僅かに延長するのみであるので、吸音性能にほとんど影響を与えることがない。
【００３９】
マーカーの形状としては、これらの例に限られず、作業者が溶着位置を把握し得るようなものであれば、如何なる形状であってもよい。
【００４０】
前述のように、吸音材３に溶着位置に応じてマーカーを形成しておくことで、作業者が溶着位置を速やかに特定することができ、成形品１の生産性を大幅に向上することができる。また、溶着の際の位置ずれを回避することができるので、溶着に用いる超音波ホーン等に十分に力を加えることができ、成形品本体２が中空成形体である場合にも、確実に溶着を行うことが可能である。
【００４１】
以上、本発明の実施形態について説明してきたが、本発明がこの実施形態に限定されるものではなく、本発明の要旨を逸脱しない範囲で種々の変更が可能であることは言うまでもない。例えば、先の実施形態では、超音波ホーンを用いた超音波溶着を例に説明したが、熱溶着等、他の溶着方法であっても同様に適用可能である。また、先の実施形態では、吸音材が外周の全周に沿ってコンプレッションされた圧縮部を有していたが、吸音材の外周の一部にコンプレッションされていない領域を有していても良い。
【符号の説明】
【００４２】
１  成形品
２  成形品本体
３  吸音材
１０  成形装置
Ｃ  圧縮部
Ｍ１，Ｍ２  マーカー
【図１】
2020032661.tif 000003
【図２】
2020032661.tif 000004
【図３】
2020032661.tif 000005
【図４】
2020032661.tif 000006
【図５】
2020032661.tif 000007